(57)【特許請求の範囲】
【請求項１】
磁気記録媒体を搬送し、前記磁気記録媒体に情報を記録又は前記磁気記録媒体から情報の読出しをする磁気処理装置において；
前記磁気記録媒体に接触し、前記磁気記録媒体に情報を記録又は前記磁気記録媒体から情報の読出しをする磁気ヘッドと；
前記磁気ヘッドに対向し、前記磁気記録媒体を前記磁気ヘッドとの間に挟持して搬送する、回転可能に軸に取り付けられたピンチローラと；
前記磁気ヘッドを、前記ピンチローラの軸に対して平行な軸上で弾性保持する磁気ヘッド保持手段とを備え；
前記磁気ヘッドは、前記磁気記録媒体が搬送される方向に直交する幅方向の端部を動作支点として前記磁気記録媒体が搬送される方向回りに回動可能に構成された；
磁気処理装置。
【請求項２】
前記磁気ヘッド保持手段は、
ヘッドブラケットと、
前記ヘッドブラケットに前記磁気ヘッドを保持する軸であって、前記ピンチローラの軸に対して平行な軸と、
前記磁気ヘッドを保持する軸に挿入されるコイルバネとを有し；
前記磁気ヘッドは、前記ヘッドブラケットに前記動作支点で支えられて構成された；
請求項１に記載の磁気処理装置。
【請求項３】
前記磁気ヘッド保持手段は、前記動作支点を支点として前記磁気記録媒体が搬送される方向回りに前記磁気ヘッドの傾きを調整できるヘッド傾き調整手段を備えた；
請求項１又は請求項２に記載の磁気処理装置。
【請求項４】
前記ピンチローラは、前記ピンチローラの軸から着脱自在に構成された、
請求項１乃至請求項３のいずれか１項に記載の磁気処理装置。
【請求項５】
請求項１乃至請求項４のいずれか１項に記載の磁気処理装置と；
前記磁気記録媒体を搬送する搬送手段と；
前記搬送手段により搬送された前記磁気記録媒体を外部に放出する送出口とを備えた；
券類処理装置。
【発明の詳細な説明】
【０００１】
【発明の属する技術分野】
本発明は、磁気記録媒体を磁気処理する磁気処理装置及び券類処理装置に関し、特に、情報の記録、読出しを確実に行なえる磁気処理装置、及び該磁気処理装置を備えた券類処理装置に関する。
【０００２】
【従来の技術】
券類処理装置では、磁気記録媒体である券類を高速搬送し、その搬送中に券類の情報を磁気処理装置により確実に記録、読出しする必要がある。そこで、従来から位置決めされた磁気ヘッドとピンチローラとの間を複数の搬送ベルトにより券類を搬送することで対応していた。さらに、磁気処理装置の磁気ヘッドとピンチローラは、券類へある程度の圧力を与える間隔で対向して固定されていた。また、このような券類処理装置で使用される券類は、例えば、普通乗車券や回数券のようなロール状の券紙から発券されるもの(以後乗車券等という)と、プリペイドカードや定期券のようなカードによるもの(以後定期券等という)との２種類があり、大きさや厚さが異なる。そのため磁気ヘッドとピンチローラとの間隔は、券類の最小厚みのものが通過して記録、読出しを可能とするもので、これより厚い券類が通過する場合には、ピンチローラの弾性変形による変位で対応していた。
【０００３】
【発明が解決しようとする課題】
しかし、以上のような従来の券類処理装置によれば、使用する券類で最も厚いものが磁気ヘッドとピンチローラの間を通過する際には、ピンチローラの変位が大きくなってしまう。さらに券類が磁気ヘッドとピンチローラに高速搬送で突入するため、その外的圧力が大きくなり、ピンチローラの変位がさらに大きくなってしまう。このため、磁気ヘッドとピンチローラとの間隔が、許容される搬送変動範囲を逸脱してしまい記録(書き込みビットの歯抜け)、または読出し(ビットの読出し不良)に支障の生じることがあった。また、磁気ヘッドとピンチローラは、券類の通過により汚れが付着し、摩耗する。このため、定期的に清掃および調整等の保守が必要であるが、これを容易に行うことができなかった。
【０００４】
そこで本発明は、磁気記録媒体の情報の記録または読出しをより正確に行うことができ、保守の容易な磁気処理装置および該磁気処理装置を備えた券類処理装置を提供することを目的とする。
【０００５】
【課題を解決するための手段】
上記目的を達成するために、請求項１に係る発明による磁気処理装置１は、例えば図２、図３に示すように、磁気記録媒体２を搬送し、磁気記録媒体２に情報を記録又は磁気記録媒体２から情報の読出しをする磁気処理装置において；磁気記録媒体２に接触し、磁気記録媒体２に情報を記録又は磁気記録媒体２から情報の読出しをする磁気ヘッド１２と；磁気ヘッド１２に対向し、磁気記録媒体２を磁気ヘッド１２との間に挟持して搬送する、回転可能に軸２４（例えば図８（ｂ）参照）に取り付けられたピンチローラ２３と；磁気ヘッド１２を、ピンチローラ２３の軸２４に対して平行な軸１５、１６上で弾性保持する磁気ヘッド保持手段１３とを備え；磁気ヘッド１２は、磁気記録媒体２が搬送される方向に直交する幅方向の端部１４ｍを動作支点として磁気記録媒体２が搬送される方向回りに回動可能に構成されている。
【０００６】
このように構成すると、磁気記録媒体２に接触し、磁気記録媒体２に情報を記録又は磁気記録媒体２から情報の読出しをする磁気ヘッド１２と、磁気ヘッド１２に対向し、磁気記録媒体２を磁気ヘッド１２との間に挟持して搬送する、回転可能に軸２４に取り付けられたピンチローラ２３と、磁気ヘッド１２を、ピンチローラ２３の軸２４に対して平行な軸１５、１６上で弾性保持する磁気ヘッド保持手段１３とを備え、磁気ヘッド１２は、磁気記録媒体２が搬送される方向に直交する幅方向の端部１４ｍを動作支点として磁気記録媒体２が搬送される方向回りに回動可能に構成されているので、例えば、厚めの磁気記録媒体２を挟持する際には、磁気ヘッド１２がピンチローラ２３の軸２４に対して平行な軸１５、１６上で弾性保持されていることにより圧力が吸収されるので、磁気記録媒体２の情報の記録または読出しをより正確に行うことができ、また保守の容易な磁気処理装置を提供することができる。
【０００７】
また、以上の磁気処理装置１では、磁気記録媒体２は、所定の方向に搬送され、磁気ヘッド保持手段１３は、前記所定の方向回りに回動可能に弾性保持するように構成することが望ましい。また、例えば図３に示すように、磁気ヘッド保持手段は、ヘッドブラケット１４と、ヘッドブラケット１４に磁気ヘッド１２を保持する軸１５、１６であって、ピンチローラ２３の軸２４（例えば図８（ｂ）参照）に対して平行な軸１５、１６と、磁気ヘッドを保持する軸１５、１６に挿入されるコイルバネ１５ａ、１６ａ（例えば図７（ｂ）参照）とを有し；磁気ヘッド１２は、ヘッドブラケット１４に動作支点１４ｍで支えられて構成されているとよい。
【０００８】
このように構成すると、磁気ヘッド保持手段１３は、前記所定の方向回りに回動可能に弾性保持するように構成されているので、例えば大きさの異なる磁気記録媒体２を搬送する際に、異なる磁気記録媒体２毎に磁気ヘッド１２にかかる圧力が異なっても、磁気ヘッド１２が前記所定の方向回りに回動可能に弾性保持されていることにより圧力が吸収され、磁気記録媒体２の情報の記録または読出しをより正確に行うことができ、また磁気ヘッド１２の偏摩耗が発生しにくくなる。また、例えば、大きさの異なる磁気記録媒体２を片寄せして搬送する場合でも、前記所定の方向回りに回動可能に弾性保持されていることにより圧力が吸収され、磁気記録媒体２の情報の記録または読出しをより正確に行うことができる。
【０００９】
また、以上の磁気処理装置１では、磁気ヘッド保持手段１３は、動作支点１４ｍを支点として磁気記録媒体が搬送される方向回りに磁気ヘッド１２の傾きを調整できるヘッド傾き調整手段１７を備えるとよい。
【００１０】
このように構成すると、磁気ヘッド保持手段１３は、動作支点１４ｍを支点として磁気記録媒体が搬送される方向回りに磁気ヘッド１２の傾きを調整できるヘッド傾き調整手段１７を備えるので、例えば、大きさの異なる磁気記録媒体２が通過することにより磁気ヘッド１２が偏摩耗した場合でも、容易に前記傾きを調整できる。したがって、保守の容易な磁気処理装置を提供することができる。
【００１１】
また、以上の磁気処理装置１では、例えば図８に示すように、ピンチローラ２３は、ピンチローラ２３の軸２４から着脱自在に構成するとよい。
【００１２】
このように構成すると、ピンチローラ２３は、回転可能に軸２４に取り付けられ、軸２４から着脱自在に構成するので、例えば、ピンチローラ２３や磁気ヘッド１２を清掃する場合に、容易にピンチローラ２３を取り外すことができる。したがって、保守の容易な磁気処理装置を提供することができる。
【００１３】
上記目的を達成するために、本発明の券類処理装置１００は、例えば図９に示すように、請求項１乃至請求項４のいずれか１項に記載の磁気処理装置１と；磁気記録媒体２を搬送する搬送手段１０４と；搬送手段１０４により搬送された磁気記録媒体２を外部に放出する送出口１０７とを備えている。
【００１４】
このように構成すると、券類処理装置１００は、磁気処理装置１と、搬送手段１０４と、送出口１０７とを備えているので、磁気記録媒体２の情報の記録または読出しをより正確に行うことができ、保守の容易な券類処理装置を提供することができる。
【００１５】
また、券類処理装置１００は、磁気記録媒体２の対価としての貨幣を処理する貨幣処理装置１０３を備えるとよい。
【００１６】
【発明の実施の形態】
以下、本発明の実施の形態について、図面を参照して説明する。なお、各図において互いに同一あるいは相当する部材には同一符号または類似符号を付し、重複した説明は省略する。
【００１７】
図１の正面図を参照して、本発明の第１の実施の形態である磁気処理装置１の構成を説明する。磁気処理装置１は、搬送部３、駆動手段５、磁気ヘッド固定機構１０を含んで構成されている。各構成要素の詳細については後述する。また、磁気処理装置１は、板金のベース部７に取り付けられる。図示では、ベース部７は、一部を破断して独立して示してある。磁気処理装置１は、磁気記録媒体としての券類２（図２参照）を搬送し、券類２に情報を記録又は券類２から情報の読出し（再生）をするように構成されている。また、券類２については図２を参照して後で説明する。また、情報は例えば磁気により表される磁気情報である。
【００１８】
搬送部３は、第１の搬送部３１と、第１の搬送部３１の下部に対向して設けられた第２の搬送部３２とを有しており、券類２を一定速度で搬送するものである。第１の搬送部３１は、複数の第１の搬送プーリ３３、第１の駆動プーリ３４、第１の搬送ベルト３５を含んで構成される。第１の搬送プーリ３３は、ベース部７に回転可能に複数個取り付けられている。また、第１の駆動プーリ３４は、第１の搬送プーリ３３のベース部７の反対側（図中奥側）に、同軸に固着された歯車を有したものである。複数の第１の搬送プーリ３３と第１の駆動プーリ３４とには第１の搬送ベルト３５が２本平行に張架されている。
【００１９】
また、第２の搬送部３２は、複数の第２の搬送プーリ３６、第２の駆動プーリ３７、第２の搬送ベルト３８を含んで構成される。第２の搬送プーリ３６は、ベース部７に回転可能に複数個取り付けられている。また、第２の駆動プーリ３７は、第２の搬送プーリ３６のベース部７の反対側に、同軸に固着された歯車を有したものである。複数の第２の搬送プーリ３６と第２の駆動プーリ３７とには第２の搬送ベルト３８が２本平行に張架されている。第１の搬送ベルト３５、第２の搬送ベルト３８は、例えば平ベルトである。
【００２０】
搬送部３は、２本のベルトがそれぞれ対応するように、第１の搬送ベルト３５の一部と第２の搬送ベルト３８の一部を当接させ、図中右側から第１の当接面４１、第２の当接面４２、第３の当接面４３を形成している。搬送部３は、これらの当接面に券類２を挟持して搬送する。例えば券類２の搬送方向が図中右から左方向の場合には、第１の当接面４１、第２の当接面４２、第３の当接面４３の順に券類２を挟持して搬送する。第１の当接面４１、第２の当接面４２、第３の当接面４３は、本実施の形態では平面であるが曲面であってよい。さらにこの平面は、図示では水平面であるが、およそ鉛直面であってもよいし傾斜している傾斜面であってもよい。
【００２１】
また、搬送部３は、例えば券類２をベース部７側（図中奥側）に片寄せして搬送する。以下、ベース部７側を基準側として説明する。また、このように搬送することで、大きさの異なる券類２でも、搬送部３の搬送位置、及び磁気ヘッド１２の処理面１２ｃ（図５参照）上の通過位置が大きさの異なる券類２毎にそれぞれ決まるので、磁気ヘッド１２により正確に情報の記録または読出しが行なえる。さらに、このように搬送することで、磁気処理装置１は、例えば券類２を搬送方向に対して斜めに搬送してしまうことなく垂直に搬送できるので、後述の磁気ヘッド１２により正確に情報の記録または読出しが行なえる。
【００２２】
また、磁気ヘッド固定機構１０には、第１の磁気ヘッド固定機構１０ａと、第２の磁気ヘッド固定機構１０ｂとがあり、第１の当接面４１と第２の当接面４２との間に、第１の磁気ヘッド固定機構１０ａが、第２の当接面４２と第３の当接面４３との間に、第２の磁気ヘッド固定機構１０ｂがそれぞれ配置されており、またそれぞれベース部７に取り付けられている。第１の磁気ヘッド固定機構１０ａには、記録用の磁気ヘッド１２ａが備えられており、第２の磁気ヘッド固定機構１０ｂには、再生用の磁気ヘッド１２ｂが備えられている。
【００２３】
さらに、第１の磁気ヘッド固定機構１０ａ、第２の磁気ヘッド固定機構１０ｂには、それぞれ第１のピンチローラ２３ａ、第２のピンチローラ２３ｂが備えられている。以下、第１の磁気ヘッド固定機構１０ａと第２の磁気ヘッド固定機構１０ｂ、磁気ヘッド１２ａと磁気ヘッド１２ｂ、及び第１のピンチローラ２３ａと第２のピンチローラ２３ｂを特に区別しないときは、それぞれ単に磁気ヘッド固定機構１０、磁気ヘッド１２、ピンチローラ２３という。また、磁気ヘッド固定機構１０については、図３を参照して後で詳細に説明する。
【００２４】
さらに搬送部３は、第１の当接面４１と第１の磁気ヘッド固定機構１０ａとの間、第３の当接面４３と第２の磁気ヘッド固定機構１０ｂとの間に、それぞれテンションローラ４５ａ、４５ｂを有している。テンションローラ４５ａ、４５ｂは、磁気ヘッド固定機構１０に搬送される券類２をガイドするものである。テンションローラ４５ａ、４５ｂは、それぞれ第１の搬送プーリ３３の１つに対向する位置で、２本の第１の搬送ベルト３５にそれぞれ当接している。さらにテンションローラ４５ａ、４５ｂは、不図示のバネにより第１の搬送ベルト３５に付勢されている。テンションローラ４５ａ、４５ｂは、例えば転がり軸受けである。
【００２５】
さらに、搬送部３は、ベース部７に取り付けられた駆動手段５により駆動される。駆動手段５は、例えば正逆回転可能なステッピングモータである。ステッピングモータ５は、ベース部７の反対側（図中奥側）に回転軸が突出するように取り付けられ、回転軸には、歯車５ａが取り付けられている。そして、歯車５ａと、第１の駆動プーリ３４の歯車と、第２の駆動プーリ３７の歯車とに、第１の駆動ベルト５１が張架されている（図中破線で表示）。これにより、第１の搬送部３１と第２の搬送部３２は、第１の駆動ベルト５１を介してステッピングモータ５により駆動される。
【００２６】
さらに、ベース部７には、第３の駆動プーリ５３が回転可能に取り付けられている。第３の駆動プーリ５３は、ベース部７の搬送部３が取り付けられている側（図中手前側）と、ベース部７の反対側（図中奥側）とに、それぞれ歯車を有している。反対側の歯車には、第１の駆動ベルト５１が張架されており、第３の駆動プーリ５３は、第１の駆動ベルト５１を介してステッピングモータ５により駆動される。さらに、手前側の歯車と、第１の磁気ヘッド固定機構１０ａに備えられた第１のピンチローラ２３ａ、第２の磁気ヘッド固定機構１０ｂに備えられた第２のピンチローラ２３ｂとには、第２の駆動ベルト５５が張架されている。これにより、第１のピンチローラ２３ａ、第２のピンチローラ２３ｂは、第１の駆動ベルト５１と第２の駆動ベルト５５とを介してステッピングモータ５により駆動される。
【００２７】
またベース部７には、テンションプーリ５７が、回動可能に取り付けられ、バネ５７ａにより第２の駆動ベルト５５にテンションを与えている。なお、テンションプーリ５７は、清掃や交換時にピンチローラを取り外す場合に、テンションに抗する方向に移動させることで、第２の駆動ベルト５５をピンチローラ２３から外すことができる。
【００２８】
ここで、図２の外観図を参照して、本実施の形態で用いる券類２について説明する。図２（ａ）は、上が乗車券２ａの平面図、下が乗車券２ａの側面図であり、図２（ｂ）は、上がカード２ｂの平面図、下がカード２ｂの側面図である。本実施の形態では、券類２は、普通乗車券や回数券のようなロール状の券紙から発券されるもの(以後単に乗車券２ａ（図２参照）という)と、プリペイドカードや定期券のようなカードによるもの(以後単にカード２ｂ（図２参照）という)との２種類である（以下、これらを特に区別しないときは単に券類２という）。
【００２９】
乗車券２ａは、カード２ｂよりも小さい。また、乗車券２ａの厚さ２ｄは、カード２ｂの厚さ２ｄ’よりも厚く形成されている（２ｄ＜２ｄ’）。乗車券２ａ及びカード２ｂの磁気処理装置１内での搬送方向は、それぞれ長辺方向（図中左右方向）である。また、乗車券２ａ及びカード２ｂは、共にそれぞれ側面２ｅ、２ｅ’を基準側に片寄せして搬送される。
【００３０】
図３を参照して、磁気ヘッド固定機構１０について説明する。図３（ａ）は正面図、図３（ｂ）は側面図、図３（ｃ）は裏面図である。ここで、第１の磁気ヘッド固定機構１０ａと第２の磁気ヘッド固定機構１０ｂは、同様の構成であるため、区別せずに磁気ヘッド固定機構１０として説明する。磁気ヘッド固定機構１０は、磁気ヘッド部１１と、ピンチローラ部２１とを含んで構成される。磁気ヘッド固定機構１０は、磁気ヘッド部１１がピンチローラ部２１に取り付けられ、一体に構成されている。
【００３１】
また、図４の平面図に示すように、磁気ヘッド固定機構１０は、ピンチローラ部２１に取り付けられたピンチローラ２３の回転軸がベース部７に対しておよそ垂直になるようにベース部７に取り付けられている。この場合、券類２（図２参照）を搬送する方向ｖは、ベース部７の面に対して平行である。即ち、図示のように券類２（乗車券２ａ、カード２ｂ）は、それぞれの側面２ｅ、２ｅ’（図２参照）をベース部７に当接させて（基準側に片寄せされて）ピンチローラ２３の回転軸に対して垂直に搬送される。
【００３２】
図５の平面図を参照して、磁気ヘッド部１１について説明する。磁気ヘッド部１１は、券類２（図２参照）に接触し、券類２に情報を記録又は券類２から情報の読出しをする磁気ヘッド１２と、磁気ヘッド１２を、弾性保持する磁気ヘッド保持手段としてのヘッドブラケット部１３とを含んで構成される。これにより、例えば、券類２を挟持する際には、磁気ヘッド１２がヘッドブラケット部１３により弾性保持されていることにより圧力が吸収される。このようにして、券類２の情報の記録または読出しをより正確に行うことができる。
【００３３】
ヘッドブラケット部１３は、磁気ヘッド１２を所定の方向としての券類２を搬送する方向ｖ回りに回動可能に弾性保持している。言いかえれば券類２を搬送する方向ｖに垂直でかつ搬送される券類２の磁気ヘッド部１１に接触する面に垂直な方向の傾きｓ（図７参照）方向に弾性保持するように構成されている。このような構成は、設計段階で、基準となる支点（例えば後述の磁気ヘッド動作支点１４ｍ）を決めることができるので、設計の際に磁気ヘッド側の検討だけで済み、設計の容易性につながる。また、例えば大きさの異なる券類２が基準側に片寄せ搬送される場合では、基準となる支点側の磁気ヘッド１２にかかる圧力が異なるが、ヘッドブラケット部１３による弾性保持により券類２の大きさに対応して磁気ヘッド１２への外的圧力が吸収されるので、券類２の情報の記録または読出しをより正確にでき、磁気ヘッド１２の偏摩耗が発生しにくい。
【００３４】
また磁気ヘッド１２には、再生用と記録用があり、本実施の形態では同一形状として説明する。磁気ヘッド１２は、券類２との接触面１２ｃ（以下単に処理面１２ｃという）を上にして、ヘッドブラケット部１３に取り付けられている。また、本実施の形態では、磁気ヘッド１２は、券類２の複数のトラックについて同時に処理する多ヘッド型であり、処理面１２ｃには、搬送方向ｖに対して垂直な方向に複数トラック分の処理が可能な複数のヘッド溝１２ｄが所定の間隔で設けられている。さらに、ヘッドブラケット部１３は、ヘッドブラケット１４と、ヘッドねじ付軸１５と、第１のコイルバネ１５ａと、ヘッド固定軸１６と、第２のコイルバネ１６ａとを含んで構成されている。また、ヘッドブラケット部１３は、搬送方向ｖ回りの傾きｓ（図７参照）を調整できるヘッド傾き調整手段としてのヘッド傾き調整軸１７が備えられている。したがって、磁気ヘッド１２が、例え偏摩耗しても、傾きｓを調整できるので、保守が容易である。
【００３５】
図６の斜視図を参照して、ヘッドブラケット１４について説明する。図６は、ヘッドブラケット１４のおよそ裏面方向から見た斜視図である。ヘッドブラケット１４は、磁気ヘッド１２の処理面１２ｃの搬送方向ｖの傾きｒ（図５参照）方向の動きを抑制し、さらに、券類２（図２参照）が処理面１２ｃに突入する際のガイドを兼ねるものである。ヘッドブラケット１４は、裏面１４ａが略四角形の板の正面１４ｂの上部２つの角部に、それぞれ２つの略四角柱形状のガイド１４ｅ、１４ｆが形成されている。即ち、上面１４ｃが略凹字形、側面１４ｄがＬ字形の形状をしている。また、ヘッドブラケット１４には、非帯磁性である材料、例えばベークライトを用いることが好ましい。
【００３６】
ガイド１４ｅ、１４ｆには、それぞれ面取部１４ｇが形成されているので、券類２を磁気ヘッド１２の処理面１２ｃへ円滑に導くことができる。裏面１４ａには、中央部の上下方向に、凸部１４ｈが形成されている。さらに、凸部１４ｈの上端には、円筒形の凸部１４ｉが形成されており、その中心には、ヘッド傾き調整軸１７用の貫通孔１４ｊが形成されている。また、貫通孔１４ｊの正面１４ｂ側には、座ぐり加工が施されている。さらに、裏面１４ａには、ヘッドねじ付軸１５用の貫通孔１４ｋと、貫通孔１４ｋの上にヘッド固定軸１６用の貫通孔１４ｌとが凸部１４ｈに対して対称にそれぞれ形成されている。また、貫通孔１４ｋと貫通孔１４ｌとは、好ましくはそれぞれ挿入する部材の径より僅かに大きく形成し、さらに裏面１４ａ側から座ぐり加工を施すとよい。
【００３７】
また、正面１４ｂの下部には、左右方向に延伸した凸部で形成された磁気ヘッド動作支点１４ｍが設けられている。
【００３８】
図７を参照して、磁気ヘッド部１１についてさらに説明する。図７（ａ）は正面図、図７（ｂ）は図７（ｃ）のＡ−Ａ’断面を示した断面図、図７（ｃ）は裏面図である。磁気ヘッド１２は、２箇所で、第１のコイルバネ１５ａと、ヘッドブラケット１４の貫通孔１４ｋ（図６参照）とに挿入されたヘッドねじ付軸１５の先端部を磁気ヘッド１２にねじ込むことにより、ヘッドブラケット１４に弾性的に保持されている。
【００３９】
さらに、磁気ヘッド１２は、２箇所で、第２のコイルバネ１６ａと、磁気ヘッド１２に形成された貫通穴１２ｅと、ヘッドブラケット１４の貫通孔１４ｌ（図６参照）とに挿入されたヘッド固定軸１６の先端部に形成された雄ねじをナット１６ｂで固定することにより、ヘッドブラケット１４に弾性的に保持されている。即ち、磁気ヘッド１２は、第１のコイルバネ１５ａと、第２のコイルバネ１６ａとで弾性保持されている。また、磁気ヘッド１２は、ヘッドブラケット１４の磁気ヘッド動作支点１４ｍに下部を当接させて保持されている。  これにより、磁気ヘッド１２は、傾きｒ方向の動きを抑制しながら、磁気ヘッド動作支点１４ｍを支点として傾きｓ方向に弾性保持することができる。
【００４０】
また、ヘッドブラケット１４には、ヘッド傾き調整軸１７が一方の端面を磁気ヘッド１２の上部に当接させて取り付けられている。またヘッド傾き調整軸１７には、雄ねじが形成されている。ヘッド傾き調整軸１７は、貫通孔１４ｊの正面１４ｂ側の座ぐり加工部分に取り付けられたナット１７ｂにねじ込まれ、ヘッドブラケット１４の貫通孔１４ｊ（図６参照）に挿入され、他端部を固定ナット１７ａで固定されている。磁気ヘッド１２は、ヘッド傾き調整軸１７を回転させることにより、磁気ヘッド１２の上部を押すことで、傾きｓを調整できる。
【００４１】
図８を参照して、ピンチローラ部２１について説明する。図８（ａ）は正面図、図８（ｂ）は断面図、図８（ｃ）は裏面図である。ピンチローラ部２１は、ブラケットヘッドベース２２と、磁気ヘッド１２に対向し、券類２（図２参照）を磁気ヘッド１２との間に挟持して搬送するピンチローラ２３と、ピンチローラ軸２４と、ピンチローラ固定部材２５とを含んで構成される。ピンチローラ２３は、回転可能に、軸としてのピンチローラ軸２４に取り付けられ、ピンチローラ軸２４から着脱自在に構成されている。また、ピンチローラ軸２４には、両端部に雌ねじが加工されている。
【００４２】
ブラケットヘッドベース２２は、略凹字形の断面を有した略台形の形状に形成されている。正面には、中央部の上下方向に、溝部２２ａが形成されている。溝部２２ａの上端には、貫通孔２２ｂが形成されている。さらに貫通孔２２ｂの上部には、ピンチローラ軸２４が嵌合するための貫通孔２２ｃが形成されている。貫通孔２２ｃには、裏面側から座ぐり加工を施すとよい。また、ブラケットヘッドベース２２には、ヘッドねじ付軸１５用の貫通孔２２ｄと、貫通孔２２ｄの上にヘッド固定軸１６用の貫通孔２２ｅとが溝部２２ａに対して対称にそれぞれ形成されている。
【００４３】
ピンチローラ２３は、一方の端部に歯車を有した円筒形状の部材２３ｃと、部材２３の外周に巻回された弾性のある合成樹脂部材２３ｄ（以下単に弾性部材２３ｄという）と、部材２３ｃの両端部に取り付けられた転がり軸受け２３ｅとを含んで構成される。また弾性部材２３ｄは、前述のヘッド溝１２ｄ（図５参照）の所定の間隔に対応するように、表面に凸部２３ｆが所定の間隔で形成されている。さらに磁気ヘッド部１１をピンチローラ部２１に取り付けた際には、ヘッド溝１２ｄの間隔の間に凸部２３ｆが対向するように形成することが好ましい。ピンチローラ２３は、前述のように、歯車に張架された第２の駆動ベルト５５（図１参照）により駆動され、回転する。
【００４４】
ピンチローラ部２１は、ピンチローラ軸２４が、ブラケットヘッドベース２２の貫通孔２２ｃに嵌合され、裏面からねじで固定されている。そして、ピンチローラ軸２４には、ピンチローラ２３が、転がり軸受け２３ｅの内径とピンチローラ軸２４の外径を滑合させて回転可能に取り付けられる。ピンチローラ２３は、ピンチローラ軸２４から抜け落ちないように、ピンチローラ固定部材２５により固定される。ピンチローラ固定部材２５には、ドライバー等の工具を必要とせずにピンチローラ２３を取り外せるもの、例えば化粧ねじを用いるとよい。このようにすることで、ピンチローラ２３は、ピンチローラ軸２４から、容易に着脱することができるので、非常に簡便である。
【００４５】
図３に戻って、磁気ヘッド固定機構１０についてさらに説明する。磁気ヘッド固定機構１０は、磁気ヘッド部１１とピンチローラ部２１とが、取付ねじ２７により、ヘッドブラケット１４の凸部１４ｈ（図６参照）がピンチローラ部２１のブラケットヘッドベース２２の溝部２２ａ（図８参照）に嵌合させて、取付ねじ２７により２箇所で取り付けられている。磁気ヘッド固定機構１０は、磁気ヘッド部１１とピンチローラ部２１とを、凸部１４ｈを溝部２２ａに嵌合させて取り付けることで、磁気ヘッド部１１の搬送方向への動きを抑制する。またこのとき、ブラケットヘッドベース２２の貫通孔２２ｂ、貫通孔２２ｄ、貫通孔２２ｅには、それぞれヘッド傾き調整軸１７、ヘッドねじ付軸１５、ヘッド固定軸１６が挿入されており、ヘッド傾き調整軸１７、ヘッドねじ付軸１５、ヘッド固定軸１６は、磁気ヘッド固定機構１０の裏面から露出している。以上で説明した磁気ヘッド固定機構１０は、第１の磁気ヘッド固定機構１０ａと、第２の磁気ヘッド固定機構１０ｂとして、ベース部７の前述した位置に取り付けられる。
【００４６】
また、本実施の形態では、ヘッドブラケット１４とブラケットヘッドベース２２とは別体の構成として説明したが、一体に構成してもよい。
【００４７】
以上では、磁気処理装置１は、磁気ヘッド固定機構１０を、記録用（第１の磁気ヘッド固定機構１０ａ）と再生用（第２の磁気ヘッド固定機構１０ｂ）との２つ備える場合で説明したが、どちらか一方でもよいし、記録と読出しを１つで行なえる磁気ヘッドがある場合には、それを１つ備えるようにするとよい。
【００４８】
図１を参照して、磁気処理装置１の作用について説明する。以下、券類２（図２参照）を図中右側から左側へ搬送する場合で説明する。まず、磁気処理装置１は、ステッピングモータ５を図中時計回りに回転させることで、第１の駆動ベルト５１、第２の駆動ベルト５５、第１の搬送ベルト３５をそれぞれ時計回りに、第２の搬送ベルト３８を反時計回りに駆動する。不図示の外部装置により図中右方向から磁気処理装置１に搬送された券類２は、第１の搬送ベルト３５と第２の搬送ベルト３８とに挟み込まれ、第１の当接面４１を搬送される。そして、第１の当接面４１から搬送されてきた券類２は、第１の搬送ベルト３５とテンションローラ４５ａとに挟持され、第１の磁気ヘッド固定機構１０ａに搬送される。
【００４９】
第１の磁気ヘッド固定機構１０ａに搬送された券類２は、高速で磁気ヘッド１２ａとピンチローラ２３ａとの間に突入する。そして券類２は、磁気ヘッド１２ａとピンチローラ２３ａとの間を、ピンチローラ２３ａの回転により搬送されながら磁気ヘッド１２ａの処理面１２ｃ（図５参照）を通過する。この通過の際、券類２に、複数のヘッド溝１２ｄ（図５参照）により情報が記録される。この際にピンチローラ２３ａは、弾性部材２３ｄ（図８参照）の変位により、券類２の突入による外部的圧力の一部を吸収する。また、ピンチローラ２３ａにより吸収できなかった外部的圧力は、磁気ヘッド１２ａの傾きｓ方向（図３参照）の動作により吸収される。これにより、磁気ヘッド１２ａとピンチローラ２３ａとの間隔の搬送による変動が、一定となり、許容範囲内に収まるので、磁気ヘッド１２ａとピンチローラ２３ａとの間を通過する券類２に情報が確実に記録される。
【００５０】
また、券類２が磁気ヘッド１２ａを通過する際には、乗車券２ａ、カード２ｂ（図２参照）共にベース部７側（図４参照）を通過する。特に乗車券２ａが通過する場合には、乗車券２ａがカード２ｂより厚く、小さいので、磁気ヘッド１２ａのベース部７側のみ圧力が高くなる。このような場合でも、磁気ヘッド１２ａは、傾きｓ方向の動作により圧力が吸収されので、情報の記録、読出しを正確に行うことができるだけでなく、偏摩耗が発生しにくくなる。
【００５１】
次に、情報が記録された券類２は、ピンチローラ２３ａにより第２の当接面４２に搬送される。そして券類２は、第２の当接面４２を第１の搬送ベルト３５と第２の搬送ベルト３８とに挟持され、第２の磁気ヘッド固定機構１０ｂに搬送される。そして前述と同様に、第２の磁気ヘッド固定機構１０ｂに搬送された券類２は、高速で磁気ヘッド１２ｂとピンチローラ２３ｂとの間に突入する。そして券類２は、磁気ヘッド１２ｂとピンチローラ２３ｂとの間を、ピンチローラ２３ｂの回転により搬送されながら磁気ヘッド１２ｂの処理面１２ｃ（図５参照）を通過する。この通過の際、券類２に、複数のヘッド溝１２ｄ（図５参照）により情報が読み出される。ここで、磁気処理装置１は、券類２から読み出された情報が、第１の磁気ヘッド１２ａにより記録した情報と一致するのか、即ち第１の磁気ヘッド１２ａにより情報が券類２に正しく記録されたのかの確認を行う。この確認は、磁気処理装置１ではなく、さらに上位の装置、例えば後述の券類処理装置により行うようにしてもよい。
【００５２】
次に、情報が読み出された券類２は、ピンチローラ２３ｂにより搬送され、次に第１の搬送ベルト３５とテンションローラ４５ｂとに挟持され、第３の当接面４３に搬送される。そして券類２は、第３の当接面４３を第１の搬送ベルト３５と第２の搬送ベルト３８とに挟持され、不図示の外部装置まで搬送される。
【００５３】
次に、図３を参照して、磁気ヘッド固定機構１０の清掃、調整について説明する。まず、磁気ヘッド固定機構１０の清掃は、まずテンションプーリ５７（図１参照）をテンションに抗する方向に移動させることで、第２の駆動ベルト５５（図１参照）をピンチローラ２３から外す。次に、ピンチローラ固定部材２５（化粧ねじ）を手で緩めて取り外し、ピンチローラ２３をピンチローラ軸２４から抜き取る。抜き取ったピンチローラ２３は、表面に付着した汚れを拭き取るなどして取り去る。この際、ピンチローラ２３は、取り外されているので、作業が簡便に行なえる。また、磁気ヘッド１２は、処理面１２ｃ（図５参照）の汚れを拭き取るなどして取り去る。この際、磁気ヘッド１２は、ピンチローラ２３が取り外されたことにより、処理面１２ｃが露出するので、作業が簡便に行なえる。
【００５４】
磁気ヘッド固定機構１０の清掃が終了した際には、ピンチローラ２３をピンチローラ軸２４に取り付けて、さらにピンチローラ固定部材２５を手で締め込んで固定する。そして、ピンチローラ２３に第２の駆動ベルト５５を架け、テンションプーリ５７により第２の駆動ベルト５５にテンションをかける。このように、磁気ヘッド固定機構１０の清掃は、ドライバー等の工具を必要とせずに行うことができるので、非常に簡便である。
【００５５】
そして、磁気ヘッド固定機構１０の調整は、傾きｓと、磁気ヘッド１２とピンチローラ２３との隙間（間隔）の調整を行う。傾きｓの調整は、まず磁気ヘッド固定機構１０の裏面にある固定ナット１７ａを緩めることで、ヘッドブラケット１４に固定されているヘッド傾き調整軸１７を調整可能とする。そして、ヘッド傾き調整軸１７を回転させることにより、磁気ヘッド１２とピンチローラ２３との隙間がおよそ均等になるように、磁気ヘッド１２の傾きｓを調節する。磁気ヘッド１２は、ヘッド傾き調整軸１７を回転させることで、磁気ヘッド動作支点１４ｍを支点として、傾きｓ方向に動く。即ち、ヘッド傾き調整軸１７は、裏面から見て時計回りに回転させると、磁気ヘッド１２の正面側の先端が下がり、反時計回りに回転させると、磁気ヘッド１２の正面側の先端が上がる。傾きｓの調整が終了した際には、固定ナット１７ａを締めて、ヘッドブラケット１４にヘッド傾き調整軸１７を固定する。
【００５６】
磁気ヘッド１２とピンチローラ２３との隙間の調整は、２箇所の取付ねじ２７を軽く緩め、磁気ヘッド１２とピンチローラ２３との隙間が適正値になるように調節する。ここでの適正値は、好ましくは０．０１〜０．２ｍｍ程度、さらに好ましくは０．０５〜０．１ｍｍ程度とする。隙間の調整が終了した際には、取付ねじ２７を締めて固定する。また、隙間の調整は、隙間ゲージを用いると、更に容易に調整が行なえる。このように、磁気ヘッド固定機構１０の調整は、傾きｓ、磁気ヘッド１２とピンチローラ２３との隙間共に正確且つ円滑に行なえるので、非常に簡便である。即ち、磁気ヘッド１２とピンチローラ２３との両者を調整する必要がないので、非常に簡便である。
【００５７】
以上のように、磁気処理装置１は、磁気ヘッド１２の傾きｓ方向の動作により、ピンチローラ２３により吸収できなかった外部的圧力を吸収するので、券類２への情報の記録、読出しを正確に行うことができる。また磁気処理装置１は、磁気ヘッド１２が弾性保持されているので、磁気ヘッド１２が偏摩耗しにくく、経年変化に対して影響が少ないので、安定して券類２に情報の記録、読出しを正確に行うことができる。また、例え磁気ヘッド１２が偏摩耗した場合でも、容易に前記傾きを調整できるので、保守の容易である。さらに磁気処理装置１は、磁気ヘッド１２が弾性保持されているので、１つの磁気処理装置１で厚さ、大きさ共に異なる券類２を扱う場合でも、券類２に情報の記録、読出しを正確に行うことができる。さらに、磁気処理装置１は、清掃、調整等の保守が容易に行なえるので、運用が簡便である。
【００５８】
また、磁気処理装置１は、磁気ヘッド固定機構１０が磁気処理装置１から取り外された状態、例えば磁気ヘッド固定機構１０の組立の際に、磁気ヘッド１２のピンチローラ２３に対する傾きｓ、磁気ヘッド１２とピンチローラ２３との隙間共に調整ができるので、磁気処理装置１に取付後の調整作業を省略できる。
【００５９】
以上で説明した磁気処理装置１は、券類２を扱う装置、例えば鉄道の駅等に設置される発券装置、自動精算機、自動改札機などに用いることができる。以下、これらの実施例について説明する。
【００６０】
図９のブロック図を参照して、本発明の第２の実施の形態である券類処理装置としての発券装置１００について説明する。ここでの発券装置１００は、乗車券２ａ（図２参照）を発行するものである。発券装置１００は、前述の磁気処理装置１（図１参照）と、制御部１０２と、磁気記録媒体としての乗車券２ａの対価としての貨幣を処理する貨幣処理装置としての貨幣処理部１０３と、乗車券２ａを搬送する搬送手段としての搬送部１０４と、発券部１０５と、印字部１０６と、搬送部１０４により搬送された乗車券２ａを外部に放出する送出口１０７と、回収部１０８とを含んで構成されている。制御部１０２は、各種信号の入出力を行ない発券装置１００全体を制御する。貨幣処理部１０３は、乗車券２ａの購入者が入金した硬貨や紙幣といった貨幣を処理するものである。
【００６１】
発券部１０５は、乗車券２ａの原紙としてのロール紙が収納されている。発券部１０５は、制御部１０２からの発券信号により、ロール紙の端部を繰出し、所定の大きさに切断して乗車券２ａとするものである。印字部１０６は、乗車券２ａに必要な情報例えば日付や料金等を印字するものである。送出口１０７は、乗車券２ａを発券装置１００の外部へ放出するものである。回収部１０８は、正常に発券することができなかった乗車券２ａ例えば、磁気処理装置１による情報の記録に失敗した乗車券２ａを回収するものである。搬送部１０４は、発券部１０５と印字部１０６、印字部１０６と磁気処理装置１、磁気処理装置１と送出口１０７、磁気処理装置１と回収部１０８とをそれぞれ接続し、乗車券２ａを搬送するものである。また、搬送部１０４は、発券部１０５、印字部１０６、磁気処理装置１、送出口１０７、回収部１０８のそれぞれが有するように構成してもよい。
【００６２】
ここで、発券装置１００の作用の一例について説明する。発券装置１００は、まず利用者により所定の購入操作を行われ、必要金額の貨幣を入金が貨幣処理部１０３により確認されると、制御部１０２により、発券信号が発券部１０５に出力される。即ち発券装置１００は、乗車券２ａの発行動作を開始する。発券信号を入力した発券部１０５は、ロール紙を搬送し、所定の大きさに切断して乗車券２ａとする。搬送部１０４は、所定の大きさに切断された乗車券２ａを印字部１０６へ搬送する。印字部１０６は、搬送されてきた乗車券２ａを搬送しつつ必要な情報の印字を行う。印字部１０６により印字がなされた乗車券２ａは、搬送部１０４により、磁気処理装置１に搬送される。
【００６３】
磁気処理装置１に搬送されてきた乗車券２ａは、図１で説明したように、磁気処理装置１内を搬送され、磁気ヘッド１２ａ（記録用）で情報が記録され、磁気ヘッド１２ｂ（再生用）で記録された情報が読み出される。ここで、制御部１０２は、乗車券２ａから読み出された情報が、第１の磁気ヘッド１２ａにより記録した情報と一致するのか、即ち第１の磁気ヘッド１２ａにより情報が乗車券２ａに正しく記録されたのかの確認を行う。乗車券２ａに情報が正しく記録されている場合には、乗車券２ａは、搬送部１０４により送出口１０７に搬送され、送出口１０７から利用者に受け渡される。発券装置１００は、乗車券２ａの発行動作を終了する。また、乗車券２ａに情報が正しく記録されていない場合には、搬送部１０４により回収部１０８に搬送され、回収される。この場合には、再度上述した動作により乗車券２ａが発行される。
【００６４】
以上のように、発券装置１００は、磁気処理装置１により情報が乗車券２ａに正確に記録、読出しされるので、回収部１０８に回収される乗車券２ａを減少させることができるので、乗車券２ａが無駄にならず、効率良く運用することができる。さらに、発券装置１００は、磁気処理装置１の磁気ヘッド１２が弾性保持されているので、磁気ヘッド１２が偏摩耗しにくく、経年変化に対する影響が少ないので、安定して乗車券２ａに情報の記録、読出しを正確に行うことができる。また、発券装置１００は、磁気処理装置１の清掃、調整等の保守が容易に行なえるので、運用が簡便である。
【００６５】
図１０のブロック図を参照して、本発明の第３の実施の形態である券類処理装置としての自動精算機２００について説明する。ここでの自動精算機２００は、利用者により挿入された券類２の情報を書き換えて放出するまたは代替の券類２を発行するもの、例えば乗り越した乗車券２ａやカード２ｂ（以下これらを適宜券類２（図２参照）という）を自動精算機２００に挿入し差額を精算し、精算済みのカード又は精算したことを証明する精算券２ａ’を送出するものである。精算券２ａ’は、乗車券２ａと同一な形状である。自動精算機２００は、前述の発券装置１００とほぼ同様な構成であり、さらに挿入口２１０を有している。
【００６６】
自動精算機２００は、前述の磁気処理装置１（図１参照）と、制御部２０２と、磁気記録媒体としての券類２の対価としての貨幣を処理する貨幣処理装置としての貨幣処理部２０３と、券類２を搬送する搬送手段としての搬送部２０４と、挿入口２１０と、印字部２０６と、搬送部２０４により搬送された券類２を外部に放出する送出口としての２０７と、挿入口２１０とを含んで構成されている。制御部２０２は、各種信号の入出力を行ない発券装置２００全体を制御する。貨幣処理部２０３は、利用者が入金した硬貨や紙幣といった貨幣を処理するものである。挿入口２１０は、精算する券類２を受け付けるものであり、乗車券２ａ、カード２ｂの２種類の券類２を受け付けられるものである。
【００６７】
ここで、自動精算機２００の作用の一例について説明する。自動精算機２００は、まず利用者により精算が必要な券類２が挿入口２１０より挿入される。自動精算機２００は、挿入された券類２を、搬送部２０４により磁気処理装置１へ搬送する。磁気処理装置１に搬送されてきた券類２は、磁気処理装置１内を搬送され、磁気ヘッド１２ｂ（再生用）で記録された情報が読み出される。ここで、制御部１０２は、券類２から読み出された情報から、請求金額（乗越し金額）を算出し、不図示の表示部にこの金額を表示する。そして利用者は、表示された金額を貨幣処理部２０３から入金する。
【００６８】
挿入された券類２が乗車券２ａである場合には、自動精算機２００は、必要金額の貨幣を入金が貨幣処理部２０３により確認されると、制御部２０２により、発券信号が発券部２０５に出力される。即ち自動精算機２００は、精算券２ａ’の発行動作を開始する。挿入された乗車券２ａは、回収部２０８に回収され、発券信号を入力した発券部２０５は、ロール紙を搬送し、所定の大きさに切断して精算券２ａ’とする。以下前述の発券装置１００と同様に送出口２０７より精算券２ａ’が発行される。
【００６９】
また、挿入された券類２がカード２ｂである場合には、自動精算機２００は、必要金額の貨幣を入金が貨幣処理部２０３により確認されると、カード２ｂに印字が必要な場合には、カード２ｂを搬送部２０４により印字部２０６へ搬送する。印字部２０６は、搬送されてきたカード２ｂを搬送しつつ必要な情報の印字を行う。印字部２０６により印字がなされたカード２ｂは、搬送部２０４により、磁気処理装置１に搬送される。カード２ｂに印字が必要でない場合には、印字部２０６に搬送せずに磁気処理装置１に搬送される。
【００７０】
磁気処理装置１に搬送されてきたカード２ｂは、図１で説明したように、磁気処理装置１内を搬送され、磁気ヘッド１２ａ（記録用）で情報が記録され、磁気ヘッド１２ｂ（再生用）で記録された情報が読み出される。ここで、制御部２０２は、カード２ｂから読み出された情報が、第１の磁気ヘッド１２ａにより記録した情報と一致するのか、即ち第１の磁気ヘッド１２ａにより情報がカード２ｂに正しく記録されたのかの確認を行う。カード２ｂに情報が正しく記録されている場合には、カード２ｂは、搬送部２０４により挿入口２１０に搬送され、挿入口２１０から利用者に戻される。また、カード２ｂに情報が正しく記録されていない場合には、再度上述した動作により情報をカード２ｂに記録しなおす。
【００７１】
以上のように、自動精算機２００は、１つの磁気処理装置１で厚さ、大きさ共に異なる券類２を扱う場合でも、券類２に情報の記録、読出しを正確に行なえるので、効率良く運用できる。また、自動精算機２００は、磁気処理装置１の清掃、調整等の保守が容易に行なえるので、運用が簡便である。さらに、自動精算機２００は、磁気処理装置１により情報が精算券２ａ’に正確に記録、読出しされるので、回収部１０８に回収される精算券２ａ’を減少させることができるので、精算券２ａ’が無駄にならず、効率良く運用することができる。
【００７２】
図１１のブロック図を参照して、本発明の第４の実施の形態である券類処理装置としての自動改札機３００について説明する。ここでの自動改札機３００は、利用者によって挿入された乗車券２ａやカード２ｂ（以下これらを適宜券類２（図２参照）という）により、駅構内への入場及び駅構内からの退場を許可するものである。即ち、自動改札機３００の通過を許可するものである。自動改札機３００は、前述の磁気処理装置１（図１参照）と、制御部３０２と、扉装置３０３と、磁気記録媒体としての券類２を搬送する搬送手段としての搬送部３０４と、印字部３０６と、搬送部３０４により搬送された乗車券２ａを外部に放出する送出口３０７と、挿入口３０８とを含んで構成されている。制御部３０２は、各種信号の入出力を行ない自動改札機３００全体を制御する。扉装置３０３は、開閉可能な不図示の扉を有しており、扉が閉状態の場合には利用者の通過を阻止するものである。
【００７３】
挿入口３０８は、券類２を受け付けるものであり、乗車券２ａ、カード２ｂの２種類の券類２を受け付けられるものである。印字部３０６は、カード２ｂに必要な情報例えば日付や料金等を印字するものである。送出口３０７は、券類２を自動改札機３００の外部へ放出するものである。搬送部３０４は、挿入口３０８と磁気処理装置１、磁気処理装置１と印字部３０６、印字部３０６と送出口３０７とをそれぞれ接続し、券類２を搬送するものである。また、搬送部３０４は、挿入口３０８、磁気処理装置１、印字部３０６、送出口３０７のそれぞれが有するように構成してもよい。
【００７４】
自動改札機３００の作用の一例として利用者が駅構内へ入場する場合について説明する。まず利用者により券類２が挿入口３０８より挿入される。自動改札機３００は、挿入された券類２を、搬送部３０４により磁気処理装置１へ搬送する。磁気処理装置１に搬送されてきた券類２は、図１で説明したように、磁気処理装置１内を搬送され、磁気ヘッド１２ａ（記録用）で情報が記録され、磁気ヘッド１２ｂ（再生用）で記録された情報が読み出される。
【００７５】
ここで、制御部３０２は、券類２から読み出された情報が、第１の磁気ヘッド１２ａにより記録した情報と一致するのか、即ち第１の磁気ヘッド１２ａにより情報が乗車券２ａに正しく記録されたのかの確認を行う。券類２に情報が正しく記録されている場合には、自動改札機３００は、券類２を搬送部１０４により印字部３０６に搬送し、印字が必要な場合には、印字部３０６により券類２に印字をして、印字が必要ない場合には、印字部３０６を通過させる。さらに自動改札機３００は、券類２を搬送部１０４により送出口３０７に搬送し、送出口３０７から放出することで利用者に返却し、同時に扉装置３０３により扉を開状態とする。また、乗車券２ａに情報が正しく記録されていない場合には、券類２を搬送部１０４により送出口３０７に搬送し、送出口３０７から放出することで利用者に返却し、同時に扉装置３０３により扉を閉状態とする。
【００７６】
以上のように、自動改札機３００は、磁気処理装置１を備えているので、速い搬送速度と大量な処理量とが要求される場合でも安定して運用できる。また、自動改札機３００は、磁気処理装置１の清掃、調整等の保守が容易に行なえるので、運用が簡便である。
【００７７】
また以上では、券類処理装置は、発券装置１００、自動精算機２００、自動改札機３００として説明したが、券類２が搬送され、磁気処理装置１により所定の処理がなされる装置全般に用いることができる。
【００７８】
以上のように本実施の形態の磁気処理装置１は、磁気ヘッド１２が弾性保持されていることにより、券類２の通過の際に発生する大きな外部圧力を吸収することができ、券類２の情報の記録または読出しを正確にできる。また、磁気ヘッド１２の傾きｓ方向の動作により、対向するピンチローラ２３の偏摩耗が抑制され、保守が容易である。また、ヘッドブラケット部１３は、磁気ヘッド１２を傾きｓ方向に弾性保持するように構成されているので、例えば大きさの異なる券類２が基準側に片寄せして搬送される場合でも、券類２の大きさに対応して磁気ヘッド１２への外的圧力が吸収されるので、券類２の情報の記録または読出しをより正確にでき、磁気ヘッド１２の偏摩耗が発生しにくくなる。
【００７９】
また、磁気ヘッド固定機構１０は、ヘッド傾き調整軸１７により、磁気ヘッド１２とピンチローラ２３との間の傾きの調整ができるので、磁気ヘッド１２側の設計のみで調整手段を構成できる。さらに、磁気ヘッド１２とピンチローラ２３との間の傾きの調整が、磁気ヘッド１２側のみで可能となり、保守が容易である。
【００８０】
また、磁気ヘッド１２とピンチローラ２３は、券類２の通過により汚れが付着し、また摩耗もするので定期的に清掃、調整等の保守が必要になるが、それぞれの摩耗率が異なるので、両者の摩耗状態により調整を行う。さらに、大きさの異なる券類２を基準側に片寄せさせながら通過させるので、ピンチローラ２３及び磁気ヘッド１２の摩耗状態が一定とならず隙間に傾きが生じるため傾きの調整も必要となる。一般的には、この調整は、傾きがピンチローラ側で行われ、隙間が磁気ヘッド側ので行われるが、磁気ヘッド固定機構１０では、磁気ヘッド１２側で傾き、隙間が調整できる、即ち磁気ヘッド１２とピンチローラ２３との両者を調整する必要がないので、保守が容易である。
【００８１】
以上のように本実施の形態の券類処理装置は、発券装置１００、自動精算機２００、自動改札機３００の何れであっても券類２の情報の記録または読出しをより正確にでき、保守の容易な磁気処理装置１が備えられているので、運用が簡便である。
【００８２】
【発明の効果】
以上のように本発明に係る磁気処理装置によれば、磁気記録媒体を搬送し、前記磁気記録媒体に情報を記録又は前記磁気記録媒体から情報の読出しをする磁気処理装置において、前記磁気記録媒体に接触し、前記磁気記録媒体に情報を記録又は前記磁気記録媒体から情報の読出しをする磁気ヘッドと、前記磁気ヘッドに対向し、前記磁気記録媒体を前記磁気ヘッドとの間に挟持して搬送するピンチローラと、前記磁気ヘッドを、弾性保持する磁気ヘッド保持手段とを備えているので、磁気記録媒体の情報の記録または読出しをより正確に行うことができ、保守の容易な磁気処理装置を提供することができる。
【図面の簡単な説明】
【図１】本発明の実施の形態に係る磁気処理装置の正面図である。
【図２】本発明の実施の形態に係る券類を説明する外観図である。
【図３】本発明の実施の形態に係る磁気ヘッド固定機構の正面図（ａ）、側面図（ｂ）、裏面図（ｃ）である。
【図４】図３の磁気ヘッド固定機構を説明する平面図である。
【図５】本発明の実施の形態に係る磁気ヘッド部を説明する平面図である。
【図６】本発明の実施の形態に係るヘッドブラケットを説明する斜視図である。
【図７】図５の磁気ヘッド部の正面図（ａ）、断面図（ｂ）、裏面図（ｃ）である。
【図８】本発明の実施の形態に係るピンチローラ部の正面図（ａ）、断面図（ｂ）、裏面図（ｃ）である。
【図９】本発明の実施の形態に係る発券装置を説明するブロック図である。
【図１０】本発明の実施の形態に係る自動精算機を説明するブロック図である。
【図１１】本発明の実施の形態に係る自動改札機を説明するブロック図である。
【符号の説明】
１    磁気処理装置
２    券類
３    搬送部
５    駆動手段
１０    磁気ヘッド固定機構
１１    磁気ヘッド部
１２    磁気ヘッド
１３    ヘッドブラケット部
１４    ヘッドブラケット
１７    ヘッド傾き調整軸
２１    ピンチローラ部
２３    ピンチローラ
２４    ピンチローラ軸
１００  発券装置
１０３  貨幣処理部
１０４  搬送部
１０７  送出口
２００  自動精算機
２０３  貨幣処理部
２０４  搬送部
２０７  送出口
３００  自動改札機
３０４  搬送部
３０７  送出口
【図１】
0003965291.tif 000002
【図２】
0003965291.tif 000003
【図３】
0003965291.tif 000004
【図４】
0003965291.tif 000005
【図５】
0003965291.tif 000006
【図６】
0003965291.tif 000007
【図７】
0003965291.tif 000008
【図８】
0003965291.tif 000009
【図９】
0003965291.tif 000010
【図１０】
0003965291.tif 000011
【図１１】
0003965291.tif 000012